(57)【要約】【課題】空気調和機の熱交換効率を向上させることにある。【解決手段】第１熱交換器が配置された室外側熱交換部と、第２熱交換器が配置された室内側熱交換部と、内気及び外気を混合して混合気を前記室外側熱交換部に供給する混合気供給部と、を備える空気調和機。【選択図】図３
2019184145.tif 000002
【特許請求の範囲】
【請求項１】
第１熱交換器が配置された室外側熱交換部と、
第２熱交換器が配置された室内側熱交換部と、
内気及び外気を混合して混合気を前記室外側熱交換部に供給する混合気供給部と、
を備える空気調和機。
【請求項２】
請求項１に記載の空気調和機において、
前記混合気供給部は、混合気を更に前記室内側熱交換部に供給する、空気調和機。
【請求項３】
請求項１又は２に記載の空気調和機において、
前記混合気供給部は、
少なくとも１つのファンと、
前記室外側熱交換部及び前記室内側熱交換部に隣接して配置されたスプリットダンパと、を備える空気調和機。
【請求項４】
請求項３に記載の空気調和機において、
前記少なくとも１つのファンの風量、前記スプリットダンパの角度を調整することにより、前記室外側熱交換部に導入する内気の割合を制御する、空気調和機。
【請求項５】
請求項１乃至４の何れかに記載の空気調和機において、
前記室外側熱交換部と前記室内側熱交換部とは隔壁によって仕切られ、
前記隔壁には、前記室内側熱交換部の空気の一部を前記室外側熱交換部に供給する構成が設けられている、空気調和機。
【請求項６】
請求項５に記載の空気調和機において、
前記供給する構成は、前記隔壁の一部または全部に設けられた透過膜である、空気調和機。
【請求項７】
請求項５又は６に記載の空気調和機において、
前記供給する構成は、前記隔壁に設けられた開口部に設置されたファンである、空気調和機。
【請求項８】
請求項１乃至７の何れかに記載の空気調和機において、
前記室外側熱交換部に配置された浸透膜を更に備え、
前記室内側熱交換部における結露水が前記浸透膜に供給される、空気調和機。
【請求項９】
請求項１乃至８の何れかに記載の空気調和機において、
前記室外側熱交換部及び前記室内側熱交換部は、互いに隣接して配置されている、空気調和機。
【請求項１０】
請求項１乃至９の何れかに記載の空気調和機において、
前記室外側熱交換部、前記室内側熱交換部、及び前記混合気供給部は、共通の筐体内に配置されている、空気調和機。
【請求項１１】
第１熱交換器が配置された室外側熱交換部と、
第２熱交換器が配置された室内側熱交換部と、
前記室外側熱交換部と前記室内側熱交換部とを仕切る隔壁と、
を備え、
前記隔壁には、前記室内側熱交換部の空気の一部を前記室外側熱交換部に供給する構成が設けられている、空気調和機。
【発明の詳細な説明】
【技術分野】
【０００１】
本発明は、空気調和機に関する。
【背景技術】
【０００２】
従来の空気調和機には、室外機と室内機とを備え、室外機の熱交換器と室内機の熱交換器が冷媒配管で接続された冷媒回路を形成するものがある。冷房時には、圧縮機で圧縮された冷媒を、室外機の熱交換器で外気との熱交換により冷却して凝縮し、膨張弁で膨張させ、冷却された冷媒を室内機の熱交換器に供給し、室内の空気を冷却する。暖房時には、膨張弁で低圧にされた冷媒を、室外機の熱交換器で外気との熱交換により蒸発させ、圧縮機で圧縮した冷媒を室内機の熱交換器に供給し、室内の空気を暖房する。一般的に、冷房時には、温度の高い外気を利用して冷媒を冷却する必要があり、暖房時には、温度の低い外気を利用して冷媒を冷却する必要がある。室外機で外気を利用して冷媒を凝縮又は蒸発させるため、外気温度によって熱交換の効率が影響を受ける。外気温度は、地域、季節などの条件によって大きく異なる場合があり、従来の空気調和機では、安定した空調性能を得ることが難しい場合もある。
【０００３】
また、空調を必要とする居室空間は、労働衛生法、ビル管理法、建築基準法などの法令により、換気するよう定められている。
【先行技術文献】
【特許文献】
【０００４】
【特許文献１】特開２００６−０２９０３７
【発明の概要】
【発明が解決しようとする課題】
【０００５】
本発明の目的は、上述した問題の少なくとも１つを解決することにある。
【課題を解決するための手段】
【０００６】
本発明の一側面によれば、  第１熱交換器が配置された室外側熱交換部と、  第２熱交換器が配置された室内側熱交換部と、  内気及び外気を混合して混合気を前記室外側熱交換部に供給する混合気供給部と、を備える空気調和機が提供される。
【０００７】
本発明の一側面によれば、  第１熱交換器が配置された室外側熱交換部と、  第２熱交換器が配置された室内側熱交換部と、  前記室外側熱交換部と前記室内側熱交換部とを仕切る隔壁と、を備え、  前記隔壁には、前記室内側熱交換部の空気の一部を前記室外側熱交換部に供給する構成が設けられている、空気調和機が提供される。
【図面の簡単な説明】
【０００８】
【図１】本発明の第１実施形態に係る空気調和機の斜視図である。
【図２】空気調和機の正面図である。
【図３】空気調和機のサイドパネルを取り外した状態の側面図である。
【図４】空気調和機の冷媒回路図である。
【図５】第２実施形態に係る空気調和機の正面図である。
【図６】空気調和機のサイドパネルを取り外した状態の側面図である。
【図７】空気調和機の設置例を建物内部からみた鳥瞰図で示す。
【図８】空気調和機の設置例を建物外部からみた鳥瞰図で示す。
【図９Ａ】透過膜を設けた隔壁の正面図及び断面図である。
【図９Ｂ】透過膜を設けた隔壁の正面図及び断面図である。
【図９Ｃ】透過膜を設けた隔壁の正面図及び断面図である。
【図１０Ａ】ファンを設けた場合の隔壁の断面図である。
【図１０Ｂ】透過膜及びファンを設けた場合の隔壁の断面図である。
【図１１】混合気の温度制御例のフローチャートである。
【発明を実施するための形態】
【０００９】
図１は、本発明の一実施形態に係る空気調和機の斜視図である。図２は、空気調和機の正面図である。図３は、空気調和機のサイドパネルを取り外した状態の側面図である。図４は、空気調和機の冷媒回路図である。
【００１０】
図１に示すように、空気調和機１は、室外側熱交換部１００と、室内側熱交換部２００と、混合気供給部３００と、フロントパネル３と、リアパネル４と、天板（図示省略）とを備えている。また、空気調和機１は、各部を制御する制御装置３１５（図４）を備えている。制御装置３１５は、空気調和機１の各部を制御するためのプログラムを保持しており、このプロルグラムを実行することにより空気調和機１を制御する。フロントパネル３には、一方側のサイドパネルが一体に設けられている。リアパネル４には、他方側のサイドパネルが一体に設けられている。室外側熱交換部１００と室内側熱交換部２００とは、隔壁２によって仕切られている。隔壁２は、室外側熱交換部１００と室内側熱交換部２００との間を仕切るとともに両者を互いに断熱する。フロントパネル３には、吸込口３１と、吹出口３２と、点検蓋３３とが設けられ、リアパネル４には、吸込口４１と、排気口４２とが設けられている。吸込口３１、吹出口３２、及び吸込口４１には、それぞれ、フィルタ３１ａ、３２ａ、４１ａが設けられている。
【００１１】
図３に示すように、室外側熱交換部１００には、室外側熱交換器１０１と、換気ファン１０２と、浸透膜１０４とが配置されている。室外側熱交換器１０１の下方には、ドレインパン１０３が配置されている。室内側熱交換部２００には、室内側熱交換器２０１と、換気ファン２０２とが配置されている。室内側熱交換器２０１の下方には、ドレインパン２０３が配置されている。ドレインパン２０３には、配管を介してドレインポンプ３１４の吸込側に接続されており、ドレインポンプ３１４の吐出側は、浸透膜１０４の上方まで延びる配管に接続されている。
【００１２】
室外側熱交換器１０１と室内側熱交換器２０１とは、冷媒配管で接続されており、冷媒回路（図４）を構成している。室外側熱交換器１０１の一端と室内側熱交換器２０１の一端とは、膨張弁３１２を介して接続されている。また、室外側熱交換器１０１の他端と室内側熱交換器２０１の他端とは、四方弁（四方切換弁）３１３、圧縮機３１０を介して接続されている。室外側熱交換器１０１は、四方弁３１３の切り換えに応じて、室外側熱交換器１０１中の冷媒と外気との間で熱交換を行う凝縮器または蒸発器として機能する。室内側熱交換器２０１は、四方弁３１３の切り換えに応じて、室内側熱交換器２０１中の冷媒と内気（室内の空気）との間で熱交換を行う蒸発器または凝縮器として機能する。四方弁３１３は、例えば、電磁弁である。四方弁３１３及び圧縮機３１０は、制御装置３１５によって制御される。
【００１３】
図４では、冷房時の四方弁３１３の状態で冷媒回路が示されている。圧縮機３１０の吸込側が室内側熱交換器２０１に接続され、圧縮機３１０の吐出側が室外側熱交換器１０１に接続されている。このとき、圧縮機３１０で圧縮されて高温となった冷媒は、室外側熱交換器１０１で外気によって凝縮され、膨張弁３１２で膨張されて低温となった後に、室内側熱交換器２０１に供給される。室内側熱交換器２０１では、室内の空気によって冷媒が気化され、室内の空気を冷却する。暖房時には、圧縮機３１０の吸込側が室外側熱交換器１０１に接続され、圧縮機３１０の吐出側が室内側熱交換器２０１に接続されるように、四方弁３１３が切り換えられる。このとき、膨張弁３１２で膨張されて低温となった冷媒は、室外側熱交換器１０１で外気によって気化され、圧縮機３１０で圧縮されて高温となった後に、室内側熱交換器２０１に供給される。室内側熱交換器２０１では、圧縮機３１０の吸込側に熱を放出して凝縮するとともに、室内を暖房する。なお、後述するように、各熱交換器と熱交換する外気は、一部に内気を含んでもよく、各熱交換器と熱交換する内気は、一部に外気を含んでもよい。
【００１４】
換気ファン１０２は、室外に開口する排気口４２の近傍に配置されており、室外側熱交換器１０１を通過した空気を排気口４２から排出する。換気ファン２０２は、室内に開口する吹出口３２の近傍に配置されており、室内側熱交換器２０１を通過した空気を排気口４２から排出する。換気ファン１０２、２０２は、制御装置３１５によって制御される。
【００１５】
浸透膜１０４は、図３に示すように、室外側熱交換器１０１の近傍に配置され、冷房時において、ドレインポンプ３１４から供給された結露水を気化させることにより、周囲の空気温度を低下させる機能を有する。これにより、浸透膜１０４は、室外側熱交換器１０１における冷媒の凝縮を補助し、室外側熱交換器１０１における熱交換効率を向上させ得る。ドレインポンプ３１４は、図３に示すように、吸込側が配管を介して室内側のドレインパン２０３に接続されるとともに、吐出側が浸透膜１０４の上方まで延びる配管に接続されている。冷房時に室内側熱交換器２０１により結露した空気中の水分は、ドレインパン２０３に蓄積されるが、この結露水はドレインポンプ３１４によって浸透膜１０４に供給される。
【００１６】
室内側熱交換部２００及び室外側交換部１００の下方には、混合気供給部３００が設けられている。混合気供給部３００には、給気ファン３０１と、スプリットダンパ３０２とが設けられている。給気ファン３０１の上方でスプリットダンパ３０２により仕切られた空間のうち、室外側熱交換部１００側の空間が、室外側混合部３００ａとなっており、室内側熱交換部２００側の空間が、室内側混合部３００ｂとなっている。給気ファン３０１は、吸込口３１から吸い込んだ内気Ａの一部である内気Ａ２、及び吸込口４１から吸い込んだ外気Ｂの一部である外気Ｂ２を吸い込み、それらをスプリットダンパ３０２に向かって吐出する。スプリットダンパ３０２は、ダンパモータ３０３によりその角度を調整することが可能であり、その角度に応じて、給気ファン３０１から吐出される空気を所定の割合で、室外側混合部３００ａ及び室内側混合部３００ｂに分配及び供給する。室外側混合部３００ａでは、給気ファン３０１から吐出され、スプリットダンパ３０２により分配された空気（内気Ａ２及び外気Ｂ２の一部）と、外気Ｂ１とが混合され、内気及び外気を含む混合気が室外側熱交換部１００に供給される。室内側混合部３００ｂでは、給気ファン３０１から吐出され、スプリットダンパ３０２により分配された空気（内気Ａ２及び外気Ｂ２の一部）と、内気Ａ１とが混合され、内気及び外気を含む混合気が室外側熱交換部１００に供給される。
【００１７】
スプリットダンパ３０２は、ダンパモータ３０３が制御装置３１５により制御されることで、その角度が調整される。スプリットダンパ３０２が室内側混合部３００ｂ側に傾くほど、給気ファン３０１から室内側混合部３００ｂに流れ込む空気の量が減少し、室外側混合部３００ａに流れ込む空気の量が増加する。スプリットダンパ３０２が室外側混合部３００ａ側に傾くほど、給気ファン３０１から室外側混合部３００ａに流れ込む空気の量が減少し、室内側混合部３００ｂに流れ込む空気の量が増加する。
【００１８】
また、給気ファン３０１は、制御装置３１５により制御される。給気ファン３０１の風量を増大させるほど、内気Ａのうち給気ファン３０１に吸い込まれる内気Ａ２の割合が増加する。その結果、室外側熱交換部１００に供給される内気の割合が増加する。給気ファン３０１の風量を増大させるほど、外気Ｂのうち給気ファン３０１に吸い込まれる外気Ｂ２の割合が増加する。その結果、室内側熱交換部２００に供給される外気の割合が増加する。
【００１９】
換気ファン２０２の風量を増大させるほど、内気Ａのうち、給気ファン３０１に吸い込まれることなく、室内側混合部３００ｂに直接導入される内気Ａ１の割合が増加する。換気ファン１０２の風量を増大させるほど、外気Ｂのうち、給気ファン３０１に吸い込まれることなく、室外側混合部３００ａに直接導入される外気Ｂ１の割合が増加する。
【００２０】
本実施形態によれば、換気ファン１０２、２０２及び給気ファン３０１の風量、並びに、スプリットダンパ３０２の角度を制御装置３１５によって制御することにより、室外側熱交換器１００に導入する内気の割合、及び／又は、室内側熱交換部２００に導入する外気の割合を制御することができる。これにより、室外側熱交換器および／又は室内側熱交換器における熱交換効率を最適化することができる。
【００２１】
図１１は、混合気の温度制御例のフローチャートである。この例では、室外側混合部３００ａにおける混合気の温度を検出し（Ｓ１０）、室外側熱交換部１００に供給すべき混合気の目標温度と、混合気の検出温度と目標温度との温度差を算出し（Ｓ２０）、温度差が所定の範囲内になるように（又はゼロになるように）、スプリットダンパ３０２の角度を調整する（Ｓ３０、Ｓ４０）。Ｓ３０では、温度差（又は温度差の絶対値）が所定の閾値未満であるか否かを判別し、温度差（又は温度差の絶対値）が所定の閾値未満でない場合には、Ｓ４０に移行し、スプリットダンパ３０２の角度を調整し、Ｓ１０に戻る。温度差（又は温度差の絶対値）が所定の閾値未満になるまでＳ１０−Ｓ４０の処理が繰り返される。一方、Ｓ３０で所定の閾値未満である場合には、Ｓ４０を経由せず、Ｓ１０に戻る。
【００２２】
Ｓ４０では、例えば、混合気の検出温度が目標温度から離れているほど、室外側混合部３００ａに導入する内気の量が増加するように、スプリットダンパ３０２の角度を調整する。冷房時では、混合気の検出温度が目標温度に近づくように、低温に調整された内気の導入量を調整し、暖房時には、暖気された内気の導入量を調整する。混合気の目標温度は、圧縮機３１０の圧縮比などに応じて、室外側熱交換機１０１の熱交換効率が所望の値になるように、予め決定して制御装置３１５に記憶しておくか、又は、空気調和機１の運転中に演算により求める。
【００２３】
なお、Ｓ４０において、スプリットダンパ３０２の角度の調整に加え、換気ファン１０２、２０２及び給気ファン３０１の風量の調整も行えば、混合気の温度調整の範囲及び／又は精度を向上しうる。また、Ｓ４０において、スプリットダンパ３０２の角度の調整に代えて、換気ファン１０２、２０２及び給気ファン３０１の風量の調整を行うようにしてもよい。
【００２４】
図３に示すように、吸込み口４１から吸い込んだ外気Ｂは、換気ファン１０２によって室外側混合部３００ａに直接導入される外気Ｂ１と、給気ファン３０１に吸い込まれる外気Ｂ２とに分かれる。吸込口３１から吸い込んだ内気Ａは、換気ファン２０２によって室内側混合部３００ｂに直接導入される内気Ａ１と、給気ファン３０１に吸い込まれる内気Ａ２とに分かれる。外気Ｂ１は、室外側混合部３００ａにおいて、給気ファン３０１から吐出され、スプリットダンパ３０２により分配された混合気（外気Ｂ２及び内気Ａ２の第１部分）と混合された後に、室外側熱交換部１００の室外側熱交換器１０１に供給される。内気Ａ１は、混合部３００ｂにおいて、給気ファン３０１から吐出され、スプリットダンパ３０２により分配された混合気（外気Ｂ２及び内気Ａ２の第２部分）と混合された後に、室内側熱交換部２００の室内側熱交換器２０１に供給される。このとき、内気の一部が給気ファン３０１を介して外気と混合された後、室外側熱交換器１０１に供給され、排気口４２から室外に排出される。また、外気の一部が給気ファン３０１を介して内気と混合された後、室内側熱交換器２０１に供給され、室内に供給される。これにより、内気の一部の室外への排気及び外気の一部の室内への供給により、室内の空気を換気することができる。図３において、矢印Ｃは、室内側熱交換器２０１で温度が調整された後の空気を示し、矢印Ｄは、室外側熱交換器１０１を通過した後の排気を示す。
【００２５】
また、外気のみでなく、室内側熱交換器２０１により温度が調整された内気の一部を室外側熱交換器１０１に供給するため、室外側熱交換器１０１における熱交換効率を向上させることができる。例えば、冷房時には、室内側熱交換器２０１で冷却された空気の一部を外気と混合し、室外側熱交換器１０１に供給することにより、室外側熱交換器１０１における冷媒を効率よく凝縮させることができる。暖房時には、室内側熱交換器２０１で加熱された空気の一部を外気と混合し、室外側熱交換器１０１に供給することにより、室外側熱交換器１０１における冷媒を効率よく蒸発させることができる。これによれば、極端に高温又は低温の地域においても、室外側熱交換器に送風する空気の温度をより低温又はより高温に抑制することができ、室外側熱交換器をより高温の地域またはより低温の地域で使用することが可能になる。
【００２６】
本実施形態によれば、換気で発生する排気空気を利用して、室外側熱交換器における熱交換を行うことで、熱交換効率を向上することができる。また、室外側及び室内側の熱交換器を一体型に集約し、室外機を不要とし、室外機設置に伴う工事も不要になる。
【００２７】
図５は、第２実施形態に係る空気調和機の正面図である。空気調和機のサイドパネルを取り外した状態の側面図である。この実施形態では、フロントパネル３において、吸込口３１と吹出口３２との間において、点検蓋３３に吸込口３４が更に設けられている。吸込口３４には、フィルタ３４ａが設けられている。吸込口３４は、図６に示すように、室内側熱交換器２０１に面している。この実施形態によれば、室内側熱交換器２０１の近傍において吸込口３４から内気を室内側熱交換器２０１に直接取り込むため、室内側熱交換器２０１への内気の供給量を十分に確保することができる。
【００２８】
図７は、空気調和機の設置例を建物内部からみた鳥瞰図で示す。図８は、空気調和機の設置例を建物外部からみた鳥瞰図で示す。一例では、空気調和機１は、建物の壁４００に隣接して設置される。この例では、壁４００において、リアパネル４の吸込口４１及び排気口４２に対応する位置（隣接する位置）にそれぞれ、通風口４０１、４０２（図８）を形成する。そして、空気調和機１の吸込口４１及び排気口４２を、各通風口４０１、４０２を介して室外に連絡させる。この設置例によれば、従来のように室内機と室外機とを配管で接続する工事を行う必要がないので、空気調和機１の設置工事が容易である。また、室外機を個別に設置する必要がないので、空気調和機全体の寸法を抑制できる。
【００２９】
なお、図８では、各通風口４０１、４０２にルーバが設置されているが、ルーバを設けなくてもよい。また、吸込口４１及び排気口４２をカバーするような単一の開口を形成してもよい。
【００３０】
他の例では、図７及び図８に示すように、空気調和機１ａを室内の天井に設置し、空気調和機１の吸込口４１及び排気口４２を、配管５ａ、５ｂ、通風口４０３、４０４を介して、室外に連通させる。この場合も、配管の設置を最小限に抑えることができ、また、室外機を個別に設置する必要がないので、空気調和機全体の寸法を抑制できる。
【００３１】
なお、図８では、各通風口４０３、４０４にカバーが設置されているが、カバーを設けなくてもよい。
【００３２】
（他の実施形態）
（１）上述した実施形態において、隔壁２の一部または全部を、空気を透過させる透過膜とし、室内側熱交換部の空気の一部を室外側熱交換部に供給するようにしてもよい。この場合、室内側熱交換部の空気の一部を直接、室外側熱交換部に供給することにより、室外側熱交換器の熱交換効率を更に向上し得る。
【００３３】
図９Ａ、図９Ｂ、図９Ｃは、透過膜を設けた隔壁の正面図及び断面図である。図９Ａの例では、隔壁２の１箇所に開口部２０を設け、開口部２０に透過膜２１を設置している。図９Ｂの例では、隔壁２の複数の箇所に開口部２０を設け、開口部２０に透過膜２１を設置している。図９Ｃの例では、隔壁２の全体を透過膜２１で構成している。
【００３４】
（２）図１０Ａは、ファンを設けた場合の隔壁の断面図である。上述した実施形態において、隔壁２の一部に１又は複数の開口部２０を設けて、開口部２０にファン２２を設置し、ファン２２により室内側熱交換部２００の空気の一部を室外側熱交換部１００に供給するようにしてもよい。この場合、（１）と同様の作用効果を奏するとともに、制御装置３１５によりファン２２を制御することにより、室内側熱交換部２００から室外側熱交換部１００に供給する空気量を精度よく制御することができる。
【００３５】
（３）上記（１）及び（２）の構成を組み合わせてもよい。図１０Ｂは、透過膜及びファンを設けた場合の隔壁の断面図である。透過膜２１で供給量を抑制しつつ、制御装置３１５でファン２２を制御することにより、室内側熱交換部２００から室外側熱交換部１００に供給する空気量を精度よく制御することができる。なお、図１０Ａ、図１０Ｂでは、開口部２０を１つのみ示しているが、１又は複数の開口部２０を設けることができる。
【００３６】
（４）また、上記（１）乃至（３）の構成において、混合気供給部３００を省略し、吸込口４１から室外側熱交換部１００に外気のみを導入し、吸込口３１から室内側熱交換部２００に内気のみを導入するようにしてもよい。
【００３７】
上述した実施形態から少なくとも以下の技術的思想が把握される。
第１形態によれば、  第１熱交換器が配置された室外側熱交換部と、  第２熱交換器が配置された室内側熱交換部と、  内気及び外気を混合して混合気を前記室外側熱交換部に供給する混合気供給部と、を備える空気調和機が提供される。
【００３８】
この形態によれば、室内で温度が調整された空気を利用して室外機の熱交換器における熱交換を行うため、熱交換の効率を向上し得る。冷房時には、室内で冷却された空気を外気に混合して、室外側熱交換器に供給するため、室外側熱交換器において高温の外気のみで熱交換を行う場合よりも、熱交換効率が向上する。暖房時には、室内で加熱された空気を外気に混合して、室外側熱交換器に供給するため、室外側熱交換器において低温の外気のみで熱交換を行う場合よりも、熱交換効率が向上する。また、外気に混合する室内の空気は、換気のために室外に排気する空気を利用することができる。これによれば、室内の換気と、熱交換効率の向上とを両立することができる。
【００３９】
第２形態によれば、第１形態の空気調和機において、  前記混合気供給部は、混合気を更に前記室内側熱交換部に供給する。
【００４０】
この形態によれば、外気を含む混合気の一部を室内側熱交換部に供給し、さらに室内に供給することができるので、室内の空気を室外に排気した分の外気を室内に導入することができ、室内に外気を取り入れる構成を別途設けることなく、室内の換気を効率よく行うことができる。
【００４１】
第３形態によれば、第１又は２形態の空気調和機において、  前記混合気供給部は、  少なくとも１つのファンと、  前記室外側熱交換部及び前記室内側熱交換部に隣接して配置されたスプリットダンパと、を備える。
【００４２】
この形態によれば、ファンにより内気及び外気を吸い込み、スプリットダンパにより、ファンからの空気を室内側熱交換部および室外側熱交換部に効率よく分配することができる。
【００４３】
第４形態によれば、第３形態の空気調和機において、  前記少なくとも１つのファンの風量、前記スプリットダンパの角度を調整することにより、前記室外側熱交換部に導入する内気の割合を制御する。
【００４４】
この形態によれば、室外側熱交換部に供給する内気の割合を調整し、室外側熱交換器における熱交換効率を最適化することができる。
【００４５】
第５形態によれば、第１乃至４形態の何れかの空気調和機において、  前記室外側熱交換部と前記室内側熱交換部とは隔壁によって仕切られ、  前記隔壁には、前記室内側熱交換部の空気の一部を前記室外側熱交換部に供給する構成が設けられている。
【００４６】
この形態によれば、室内側熱交換部の空気の一部を直接、室外側熱交換部側に供給することにより、室外側熱交換器の熱交換効率を更に向上し得る。
【００４７】
第６形態によれば、第５形態の空気調和機において、  前記供給する構成は、前記隔壁の一部または全部に設けられた透過膜である。
【００４８】
この形態によれば、室内側熱交換部の空気の一部を直接、室外側熱交換部側に供給する構成を省スペースに実現することができる。
【００４９】
第７形態によれば、第５又は６形態の空気調和機において、  前記供給する構成は、前記隔壁に設けられた開口部に設置されたファンである。
【００５０】
この形態によれば、ファンを制御することにより、室外側熱交換部に供給する空気量を精度よく制御することができる。
【００５１】
第８形態によれば、第１乃至７形態の何れかに記載の空気調和機において、  前記室外側熱交換部に配置された浸透膜を更に備え、  前記室内側熱交換部における結露水が前記浸透膜に供給される。
【００５２】
この形態によれば、結露水を利用して、室外側熱交換器における熱交換効率を更に向上し得る。
【００５３】
第９形態によれば、第１乃至８形態の何れかの空気調和機において、  前記室外側熱交換部及び前記室内側熱交換部は、互いに隣接して配置されている。
【００５４】
この形態によれば、室内機および室外機を個別に設ける必要がなく、空気調和機全体の小型化、配管の省略、設置工事の簡略化を図ることができる。
【００５５】
第１０形態によれば、第１乃至９形態の何れかの空気調和機において、  前記室外側熱交換部、前記室内側熱交換部、及び前記混合気供給部は、共通の筐体内に配置されている。
【００５６】
この形態によれば、室内機および室外機を個別の筐体で設ける必要がなく、空気調和機全体の小型化、配管の省略、設置工事の簡略化を図ることができる。
【００５７】
第１１形態によれば、第１熱交換器が配置された室外側熱交換部と、  第２熱交換器が配置された室内側熱交換部と、  前記室外側熱交換部と前記室内側熱交換部とを仕切る隔壁と、を備え、  前記隔壁には、前記室内側熱交換部の空気の一部を前記室外側熱交換部に供給する構成が設けられている、空気調和機が提供される。
【００５８】
この形態によれば、室内で温度が調整された空気を利用して室外機の熱交換器における熱交換を行うため、熱交換の効率を向上し得る。冷房時には、室内で冷却された空気を外気に混合して、室外側熱交換器に供給するため、室外側熱交換器において高温の外気のみで熱交換を行う場合よりも、熱交換効率が向上する。暖房時には、室内で加熱された空気を外気に混合して、室外側熱交換器に供給するため、室外側熱交換器において低温の外気のみで熱交換を行う場合よりも、熱交換効率が向上する。また、外気に混合する室内の空気は、換気のために室外に排気する空気を利用することができる。これによれば、室内の換気と、熱交換効率の向上とを両立することができる。この形態によれば、室内側熱交換部の空気の一部を直接、室外側熱交換部側に供給することにより、室外側熱交換器の熱交換効率を向上し得る。
【００５９】
以上、いくつかの例に基づいて本発明の実施形態について説明してきたが、上記した発明の実施形態は、本発明の理解を容易にするためのものであり、本発明を限定するものではない。本発明は、その趣旨を逸脱することなく、変更、改良され得るとともに、本発明には、その均等物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【符号の説明】
【００６０】
１、１ａ…空気調和機
２…隔壁
３…フロントパネル
４…リアパネル
３１…吸込口
３２…吹出口
３３…点検蓋
３４…吸込口
４１…吸込口
４２…排気口
５ａ、５ｂ…配管
１００…室外側熱交換部
１０１…室外側熱交換器
１０２…換気ファン
１０３…ドレインパン
１０４…浸透膜
２００…室内側熱交換部
２０１…室内側熱交換器
２０２…換気ファン
２０３…ドレインパン
３００…混合気供給部
３０１…給気ファン
３０２…スプリットダンパ
３０３…ダンパモータ
３００ａ…室外側混合部
３００ｂ…室内側混合部
３１０…圧縮機
３１２…膨張弁
３１３…四方弁
３１４…ドレインポンプ
３１５…制御装置
４００…壁
４０１、４０２、４０３、４０４…通風口
【図１】
2019184145.tif 000003
【図２】
2019184145.tif 000004
【図３】
2019184145.tif 000005
【図４】
2019184145.tif 000006
【図５】
2019184145.tif 000007
【図６】
2019184145.tif 000008
【図７】
2019184145.tif 000009
【図８】
2019184145.tif 000010
【図９Ａ】
2019184145.tif 000011
【図９Ｂ】
2019184145.tif 000012
【図９Ｃ】
2019184145.tif 000013
【図１０Ａ】
2019184145.tif 000014
【図１０Ｂ】
2019184145.tif 000015
【図１１】
2019184145.tif 000016
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
第１熱交換器が配置された室外側熱交換部と、
第２熱交換器が配置された室内側熱交換部と、
内気及び外気を混合して混合気を前記室外側熱交換部に供給する混合気供給部と、
を備え、
前記混合気供給部は、
少なくとも１つのファンと、
前記室外側熱交換部及び前記室内側熱交換部に隣接して配置されたスプリットダンパと、を備える、
空気調和機。
【請求項２】
請求項１に記載の空気調和機において、
前記混合気供給部は、混合気を更に前記室内側熱交換部に供給する、空気調和機。
【請求項３】
請求項１又は２に記載の空気調和機において、
前記少なくとも１つのファンの風量、前記スプリットダンパの角度を調整することにより、前記室外側熱交換部に導入する内気の割合を制御する、空気調和機。
【請求項４】
請求項１乃至３の何れかに記載の空気調和機において、
前記室外側熱交換部と前記室内側熱交換部とは隔壁によって仕切られ、
前記隔壁には、前記室内側熱交換部の空気の一部を前記室外側熱交換部に供給する構成が設けられている、空気調和機。
【請求項５】
請求項４に記載の空気調和機において、
前記供給する構成は、前記隔壁の一部または全部に設けられた透過膜を有する、空気調和機。
【請求項６】
請求項４又は５に記載の空気調和機において、
前記供給する構成は、前記隔壁に設けられた開口部に設置されたファンを有する、空気調和機。
【請求項７】
請求項１乃至６の何れかに記載の空気調和機において、
前記室外側熱交換部に配置された浸透膜を更に備え、
前記室内側熱交換部における結露水が前記浸透膜に供給される、空気調和機。
【請求項８】
請求項１乃至７の何れかに記載の空気調和機において、
前記室外側熱交換部及び前記室内側熱交換部は、互いに隣接して配置されている、空気調和機。
【請求項９】
請求項１乃至８の何れかに記載の空気調和機において、
前記室外側熱交換部、前記室内側熱交換部、及び前記混合気供給部は、共通の筐体内に配置されている、空気調和機。
【請求項１０】
請求項１乃至９の何れかに記載の空気調和機において、
内気を取り込むための第１及び第２の吸込口を備え、前記第１の吸込口から取り込まれた内気が、前記混合気供給部を介して前記室内側熱交換部に供給され、前記第２の吸込口から取り込まれた内気が、前記室内側熱交換部に直接供給される、空気調和機。
【請求項１１】
第１熱交換器が配置された室外側熱交換部と、
第２熱交換器が配置された室内側熱交換部と、
前記室外側熱交換部と前記室内側熱交換部とを仕切る隔壁と、
を備え、
前記隔壁には、前記室内側熱交換部の空気の一部を前記室外側熱交換部に供給する構成が設けられており、
前記供給する構成は、前記隔壁の一部または全部に設けられた透過膜を有する、空気調和機。
【請求項１２】
第１熱交換器が配置された室外側熱交換部と、
第２熱交換器が配置された室内側熱交換部と、
前記室外側熱交換部と前記室内側熱交換部とを仕切る隔壁と、
を備え、
前記隔壁には、前記室内側熱交換部の空気の一部を前記室外側熱交換部に供給する構成が設けられており、
前記供給する構成は、前記隔壁に設けられた開口部に設置されたファンを有する、空気調和機。
【請求項１３】
第１熱交換器が配置された室外側熱交換部と、
第２熱交換器が配置された室内側熱交換部と、
内気及び外気を混合して混合気を前記室外側熱交換部に供給する混合気供給部と、
を備え、
前記室外側熱交換部と前記室内側熱交換部とは隔壁によって仕切られ、
前記隔壁には、前記室内側熱交換部の空気の一部を前記室外側熱交換部に供給する構成が設けられており、
前記供給する構成は、前記隔壁の一部または全部に設けられた透過膜を有する、空気調和機。
【請求項１４】
第１熱交換器が配置された室外側熱交換部と、
第２熱交換器が配置された室内側熱交換部と、
内気及び外気を混合して混合気を前記室外側熱交換部に供給する混合気供給部と、
を備え、
前記室外側熱交換部と前記室内側熱交換部とは隔壁によって仕切られ、
前記隔壁には、前記室内側熱交換部の空気の一部を前記室外側熱交換部に供給する構成が設けられており、
前記供給する構成は、前記隔壁に設けられた開口部に設置されたファンを有する、空気調和機。
【請求項１５】
第１熱交換器が配置された室外側熱交換部と、
第２熱交換器が配置された室内側熱交換部と、
内気及び外気を混合して混合気を前記室外側熱交換部に供給する混合気供給部と、
を備え、
前記室外側熱交換部に配置された浸透膜を更に備え、
前記室内側熱交換部における結露水が前記浸透膜に供給される、空気調和機。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
第１熱交換器が配置された室外側熱交換部と、
第２熱交換器が配置された室内側熱交換部と、
内気及び外気を混合して混合気を前記室外側熱交換部に供給する混合気供給部と、
を備え、
前記混合気供給部は、
少なくとも１つのファンと、
前記室外側熱交換部及び前記室内側熱交換部に隣接して配置されたスプリットダンパと、を備え、
前記室外側熱交換部と前記室内側熱交換部とは隔壁によって仕切られ、
前記隔壁には、前記室内側熱交換部の空気の一部を前記室外側熱交換部に供給する構成が設けられており、
前記供給する構成は、前記隔壁の一部または全部に設けられた透過膜を有する、
空気調和機。
【請求項２】
第１熱交換器が配置された室外側熱交換部と、
第２熱交換器が配置された室内側熱交換部と、
内気及び外気を混合して混合気を前記室外側熱交換部に供給する混合気供給部と、
を備え、
前記混合気供給部は、
少なくとも１つのファンと、
前記室外側熱交換部及び前記室内側熱交換部に隣接して配置されたスプリットダンパと、を備え、
前記室外側熱交換部と前記室内側熱交換部とは隔壁によって仕切られ、
前記隔壁には、前記室内側熱交換部の空気の一部を前記室外側熱交換部に供給する構成が設けられており、
前記供給する構成は、前記隔壁に設けられた開口部に設置されたファンを有する、
空気調和機。
【請求項３】
第１熱交換器が配置された室外側熱交換部と、
第２熱交換器が配置された室内側熱交換部と、
内気及び外気を混合して混合気を前記室外側熱交換部に供給する混合気供給部と、
を備え、
前記混合気供給部は、
少なくとも１つのファンと、
前記室外側熱交換部及び前記室内側熱交換部に隣接して配置されたスプリットダンパと、を備えており、
内気を取り込むための第１及び第２の吸込口を備え、前記第１の吸込口から取り込まれた内気が、前記混合気供給部を介して前記室内側熱交換部に供給され、前記第２の吸込口から取り込まれた内気が、前記室内側熱交換部に直接供給される、
空気調和機。
【請求項４】
請求項１乃至３の何れかに記載の空気調和機において、
前記混合気供給部は、混合気を更に前記室内側熱交換部に供給する、空気調和機。
【請求項５】
請求項１乃至４の何れかに記載の空気調和機において、
前記少なくとも１つのファンの風量、前記スプリットダンパの角度を調整することにより、前記室外側熱交換部に導入する内気の割合を制御する、空気調和機。
【請求項６】
請求項３に記載の空気調和機において、
前記室外側熱交換部と前記室内側熱交換部とは隔壁によって仕切られ、
前記隔壁には、前記室内側熱交換部の空気の一部を前記室外側熱交換部に供給する構成が設けられている、空気調和機。
【請求項７】
請求項６に記載の空気調和機において、
前記供給する構成は、前記隔壁の一部または全部に設けられた透過膜を有する、空気調和機。
【請求項８】
請求項６又は７に記載の空気調和機において、
前記供給する構成は、前記隔壁に設けられた開口部に設置されたファンを有する、空気調和機。
【請求項９】
請求項１乃至８の何れかに記載の空気調和機において、
前記室外側熱交換部に配置された浸透膜を更に備え、
前記室内側熱交換部における結露水が前記浸透膜に供給される、空気調和機。
【請求項１０】
請求項１乃至９の何れかに記載の空気調和機において、
前記室外側熱交換部及び前記室内側熱交換部は、互いに隣接して配置されている、空気調和機。
【請求項１１】
請求項１乃至１０の何れかに記載の空気調和機において、
前記室外側熱交換部、前記室内側熱交換部、及び前記混合気供給部は、共通の筐体内に配置されている、空気調和機。
【請求項１２】
請求項１又は２に記載の空気調和機において、
内気を取り込むための第１及び第２の吸込口を備え、前記第１の吸込口から取り込まれた内気が、前記混合気供給部を介して前記室内側熱交換部に供給され、前記第２の吸込口から取り込まれた内気が、前記室内側熱交換部に直接供給される、空気調和機。
【請求項１３】
第１熱交換器が配置された室外側熱交換部と、
第２熱交換器が配置された室内側熱交換部と、
前記室外側熱交換部と前記室内側熱交換部とを仕切る隔壁と、
を備え、
前記隔壁には、前記室内側熱交換部の空気の一部を前記室外側熱交換部に供給する構成が設けられており、
前記供給する構成は、前記隔壁の一部または全部に設けられた透過膜を有する、空気調和機。
【請求項１４】
第１熱交換器が配置された室外側熱交換部と、
第２熱交換器が配置された室内側熱交換部と、
前記室外側熱交換部と前記室内側熱交換部とを仕切る隔壁と、
を備え、
前記隔壁には、前記室内側熱交換部の空気の一部を前記室外側熱交換部に供給する構成が設けられており、
前記供給する構成は、前記隔壁に設けられた開口部に設置されたファンを有する、空気調和機。
【請求項１５】
第１熱交換器が配置された室外側熱交換部と、
第２熱交換器が配置された室内側熱交換部と、
内気及び外気を混合して混合気を前記室外側熱交換部に供給する混合気供給部と、
を備え、
前記室外側熱交換部と前記室内側熱交換部とは隔壁によって仕切られ、
前記隔壁には、前記室内側熱交換部の空気の一部を前記室外側熱交換部に供給する構成が設けられており、
前記供給する構成は、前記隔壁の一部または全部に設けられた透過膜を有する、空気調和機。
【請求項１６】
第１熱交換器が配置された室外側熱交換部と、
第２熱交換器が配置された室内側熱交換部と、
内気及び外気を混合して混合気を前記室外側熱交換部に供給する混合気供給部と、
を備え、
前記室外側熱交換部と前記室内側熱交換部とは隔壁によって仕切られ、
前記隔壁には、前記室内側熱交換部の空気の一部を前記室外側熱交換部に供給する構成が設けられており、
前記供給する構成は、前記隔壁に設けられた開口部に設置されたファンを有する、空気調和機。
【請求項１７】
第１熱交換器が配置された室外側熱交換部と、
第２熱交換器が配置された室内側熱交換部と、
内気及び外気を混合して混合気を前記室外側熱交換部に供給する混合気供給部と、
を備え、
前記室外側熱交換部に配置された浸透膜を更に備え、
前記室内側熱交換部における結露水が前記浸透膜に供給される、空気調和機。